(57)【特許請求の範囲】
【請求項１】
通信制御装置であって、
全体制御を実施する装置管理部と、
この装置管理部に接続され通信経路の制御を行なう経路制御部と、
前記装置管理部に接続され回線制御を行なう回線制御部と、
外部電源と該装置管理部とに接続された電源制御部と、
該電源制御部に接続され外部電源からの給電が停止した際にバックアップを行うバッテリとを有し、
該通信制御装置は、他の通信制御装置と複数回線によるリンクアグリゲーションにより接続され、
該電源制御部は、該外部電源からの給電が停止すると該バッテリの残量を監視し、
該装置管理部は、該バッテリの残量が予め設定された条件を満たした場合に該経路制御部と該電源制御部とを介してリンクアグリゲーションを構成する回線に接続された該回線制御部の一部への給電を停止または再開することを特徴とする通信制御装置。
【請求項２】
請求項１に記載の通信制御装置であって、
該装置管理部は、リンクアグリゲーションを構成する回線に接続された該回線制御部の一部の給電状態を変更する際に、該回線を通して隣接する通信制御装置に対して、回線状態の変化を通知することを特徴とする通信制御装置。
【請求項３】
請求項１または２に記載の通信制御装置であって、
リンクアグリゲーションを構成する回線に接続された該回線制御部の一部の給電を停止する際に、残りの給電中の該回線制御部に接続された回線で新たにリンクアグリゲーションを構成し直すことを特徴とする通信制御装置。
【発明の詳細な説明】
【技術分野】
【０００１】
本発明は通信制御装置に係り、バッテリと電源制御回路とを用いて給電停止の際に部分的な機能停止機能を有する通信制御装置に関する。
【背景技術】
【０００２】
特許文献１には、外部電源の停止時にネットワークの機能を即時に停止させないために、ネットワーク中継装置に無停電電源装置に接続し、外部電源の停止時に隣接する他のネットワーク中継装置に中継の中断を報告し、他のネットワーク中継装置が接続関係を変更する発明が記載されている。
【０００３】
また、通信制御装置によるデータ通信を可能な限り中断させないようにするためには、通信経路を多重化し、特定の経路に障害が発生した場合にも、残りの経路を使用することでデータ通信を継続させればよい。これを実現する技術として、リンクアグリゲーションがある。
【０００４】
【特許文献１】特開平６−３１５０４１号公報
【発明の開示】
【発明が解決しようとする課題】
【０００５】
特許文献１のように通信制御装置の外部に無停電電源装置を接続した状態で停電が発生した場合、多重化した通信経路が確保されていても最終的には無停電電源装置の電力供給停止でデータ通信が不能となる。また、装置外部に配置した無停電電源装置などの電源に頼るため、通信制御装置の電源スイッチが何らかの要因でオフとなった場合などには、無停電電源装置では装置停止を回避できない。
【０００６】
経路の多重化を行なっている通信制御装置を部分的に縮退・回復などさせることにより部分的に電力供給を停止することで消費電力を抑制し、可能な限り通信状態を保持する通信制御装置を提供する。また、ネットワークの接続関係の変更を最小限にする。さらに、通信制御装置の内部の動的な構成変更などで通信制御装置として電源を切断されてはならない状態のときに、電源断の可能な状態になるまでバッテリからの電力供給を継続する。
【課題を解決するための手段】
【０００７】
全体制御を実施する装置管理部と、装置管理部に接続され通信経路の制御を行なう経路制御部と、装置管理部に接続され回線制御を行なう複数の回線制御部と、外部電源と装置管理部とに接続された電源制御回路と、電源制御回路に接続され、外部電源からの給電が停止したとき、電源供給をバックアップするバッテリとからなり、電源制御回路は、バッテリ残量をモニタし、装置管理部は、バッテリから電源供給を受けているとき、電源制御回路がモニタしたバッテリ残量に応じて、経路制御部および個々の回線制御部への給電を制御する通信制御装置によって達成できる。
【発明の効果】
【０００８】
本発明によれば、停電に対して信頼性の高い通信制御装置を提供することができる。
【発明を実施するための最良の形態】
【０００９】
以下、本発明の実施形態についていくつかの実施例を用いて図面を参照しながら詳細に説明する。なお、同一部分には同じ参照番号を振り、説明は繰り返さない。
【実施例１】
【００１０】
図１は、通信制御装置の構成を示すブロック図である。外部電源２０３に接続された通信制御装置１０１の内部には、外部電源２０３に電源スイッチ２０４を介して接続される電源制御回路２０２がある。電源制御回路２０２の出力は、装置管理部１１、ｍ個の経路制御部１２−１〜１２−ｍ、ｎ個の回線制御部１３−１〜１３−ｎに接続し、給電している。また、外部電源２０３は、電源制御回路２０２を介し、バッテリ２０１に接続している。外部電源２０３の健全時には、バッテリ２０１は充電モードとなり、外部電源２０３は電源制御回路２０２を介してバッテリ２０１へ充電する。外部電源２０３の停止時または電源スイッチ２０４の切断時には、バッテリ２０１は放電モードとなり、バッテリ２０１は電源制御回路２０２を介して装置管理部１１、経路制御部１２−１〜１２−ｍ、回線制御部１３−１〜１３−ｎへと給電する。
【００１１】
図１において、装置管理部１１は通信制御装置１０１の全体を制御する。経路制御部１２は、装置管理部１１により制御され、他の通信制御装置との間に張られた経路を制御する。回線制御部１３は、装置管理部１１により制御され、他の通信制御装置の回線制御部との間の、入出力を制御する。
【００１２】
上述した電力供給の給電線１５１を太線にて示す。また、電源制御回路２０２は外部電源２０３およびバッテリ２０１の電力供給状態およびバッテリ残量状態を電源状態情報として装置管理部１１に通知する。装置管理部１１は、通信制御装置操作端末２２と接続し、通信制御装置操作端末２２から設定された給電管理テーブル２１と電源制御回路２０２からの電源状態情報により通信制御装置１０１の各部位を制御する。装置管理部１１は、電源制御回路２０２からの電源状態情報の監視を行ない、検出した電源状態情報と給電管理テーブル２１とを用いて部位毎の電源断可否を判定する。具体的には、装置管理部１１は給電管理テーブル２１に設定されたバッテリ残量レベルに従い経路制御部１２、回線制御部１３および装置管理部１１の電力供給断可否を決定する。また、装置管理部１１は、部位ごとの電力供給を停止したことで閉塞する部位により影響を受ける接続先の通信制御装置に対し、経路変更などができるように閉塞する情報を通知し、該当部位を閉塞し電力供給を停止する。
【００１３】
部分的に電力供給を停止することにより、通信制御装置１０１の消費電力を抑制することができ、バッテリ２０１の駆動時間を延ばすことができる。装置管理部１１が制御する各部位への制御線１４１を細線にて示す。
【００１４】
図２は、電源状態監視処理を説明するフロー図である。装置管理部１１は、電源制御回路２０２の電源状態情報からバッテリ２０１のバッテリ容量情報を取得し、現状のバッテリ残量レベルを求める（Ｓ００１）。装置管理部１１は、給電管理テーブル２１（図４にて後述）のバッテリ残量レベル２１１に設定されている値と求めた現状のバッテリ残量レベルとを比較する（Ｓ００２）。比較した結果、バッテリ残量レベルに縮退・回復処理すべきものがある場合には（「はい」）縮退・回復処理に進み、現状のバッテリ残量レベルに達しているものがない場合は（「いいえ」）通常の処理に戻る（Ｓ００３）。
【００１５】
縮退・回復処理では給電管理テーブル２１の縮退・回復部位２１２に記述されている部位の縮退・回復処理を行なう。状態２１３がオンになっている場合は縮退処理を行ない、状態２１３がオフになっている場合は回復処理を行なう（Ｓ００４）。給電管理テーブル２１の更新処理では給電管理テーブル２１の状態２１３を更新する。具体的には、状態２１３がオンになっている場合は状態２１３をオフに変更し、状態２１３がオフになっている場合は状態２１３をオンに変更する（Ｓ００５）。処理が終了した場合には通常処理に戻り、電源状態監視処理を継続する。
【００１６】
図３は、ネットワーク構成を説明するブロック図である。図３において、ネットワーク１０００は、通信制御装置１０１〜１０５が相互接続されて構成されている。通信制御装置１０１の回線制御部１３−１と通信制御装置１０２、通信制御装置１０１の回線制御部１３−４と通信制御装置１０３、通信制御装置１０１の回線制御部１３−２、１３−３と通信制御装置１０５、通信制御装置１０２と通信制御装置１０４、通信制御装置１０３と通信制御装置１０４、通信制御装置１０３と通信制御装置１０５が接続し、リング状のネットワーク１０００を構成する。ここで、通信制御装置１０２と通信制御装置１０５との間の通信経路は、通信制御装置１０２、通信制御装置１０１、通信制御装置１０５と中継される通信経路５０−１と、通信制御装置１０２、通信制御装置１０４、通信制御装置１０３、通信制御装置１０１、通信制御装置１０５と中継される通信経路５０−２の２通りある。
【００１７】
通信制御装置１０２が通信経路５０−１を使用して通信を行なっているときに、通信制御装置１０１で停電などが起きた場合を説明する。通信制御装置１０１は通信制御装置１０２に対して経路閉塞を通知し経路の変更などを促し、通信制御装置１０１は現在使用していた通信制御装置１０２に対する経路に関する部位の経路制御部１２−１、回線制御部１３−１及び回線制御部１３−２を縮退して、通信制御装置１０１の消費電力を抑制し、通信制御装置１０３および通信制御装置１０５との通信を継続する。経路閉塞を通知された通信制御装置１０２は、通信制御装置１０１と接続している該当する経路を閉塞するが、通信制御装置１０４と接続されている通信経路５０−２で通信制御装置１０５との通信を継続することができる。通信制御装置１０１が復電し回復する場合、通信制御装置１０１は通信制御装置１０２に対して経路回復を通知し、経路の回復を促す。経路回復を通知された通信制御装置１０２は、通信制御装置１０１と接続している該当する経路を回復し、通信を再開する。以上により、通信制御装置１０２は通信制御装置１０１の経路が縮退する前後とも、通信制御装置１０５との間のデータ通信が確保される。また、通信制御装置１０１〜１０５のネットワーク構成の場合、通信制御装置１０１は、通信制御装置１０２、通信制御装置１０３および通信制御装置１０５と接続されているが、通信制御装置１０１で停電などが起きた場合、ネットワークの接続関係の変更は通信制御装置１０２だけ変更すれば良いことになる。
【００１８】
図４は、給電管理テーブルを説明する図である。給電管理テーブル２１は、バッテリ２０１のバッテリ残量に対応したバッテリ残量レベル２１１とバッテリ残量レベルに対応して縮退・回復を行なう部位を指定した縮退・回復部位２１２および部位ごとの現在の電力供給状態を表す状態２１３とで構成される。縮退・回復部位２１２に記載された各部位は、プリント基板（パッケージ）単位に分割された部位である。
【００１９】
通信制御装置１０１が停電などでバッテリ２０１から電力供給される場合、バッテリ２０１のバッテリ残量は電力供給に応じて低下していく。装置管理部１１は、給電管理テーブル２１のバッテリ残量レベル２１１と現在のバッテリ２０１のバッテリ残量とを比較して縮退部位を決定する。バッテリ２０１のバッテリ残量が１００％から８０％以上のときは、給電管理テーブル２１のバッテリ残量レベル２１１に対応するものがないため縮退処理は行なわない。バッテリ２０１からの電力供給が継続してバッテリ２０１のバッテリ残量が８０％未満に低下したとき、装置管理部１１は、給電管理テーブル２１のバッテリ残量レベル２１１が８０％以上と設定されている縮退・回復部位２１２を検索して、回線制御部１、回線制御部２、経路制御部１を縮退する部位に決定する。装置管理部１１は回線制御部１、回線制御部２、経路制御部１に対して縮退処理を行ない、給電をオフにして、給電管理テーブル２１の状態２１３をオフにする。
【００２０】
以上により通信制御装置１０１の消費電力を抑制することができ、バッテリ２０１の駆動時間を延ばすことができる。この、回線制御部３、回線制御部４を介する通信を継続することができる。
【００２１】
通信制御装置１０１が復電した場合、通信制御装置１０１の各部位には外部電源２０３から電力供給される。しかし、再び停電する可能性もあるため、バッテリ２０１の容量合わせて、各部位の回復を段階的に行なう方法と、バッテリ２０１の残量レベルに関係なく、縮退している部位を全て回復する方法があり得る。
【００２２】
ここでは、各部位の回復を段階的に行なう場合を、説明する。外部電源２０３から電力供給によりバッテリ２０１の容量が５％以上に回復したとき、装置管理部１１は、給電管理テーブル２１のバッテリ残量レベル２１１が５％以上と設定されている縮退・回復部位２１２を検索して、回線制御部３、回線制御部４、経路制御部２、装置管理部を回復する部位に決定する。装置管理部１１は回線制御部３、回線制御部４、経路制御部２、装置管理部に対して回復処理を行ない、給電管理テーブル２１の状態２１３をオンに変更する。外部電源２０３から電力供給によりバッテリ２０１の容量が８０％以上に回復したとき、装置管理部１１は、給電管理テーブル２１のバッテリ残量レベル２１１が８０％と設定されている縮退・回復部位２１２を検索して、回線制御部１、回線制御部２、経路制御部１を回復する部位に決定する。装置管理部１１は回線制御部１、回線制御部２、経路制御部１に対して回復処理を行ない、給電管理テーブル２１の状態２１３をオンに変更する。
【００２３】
最終的に外部からの電力供給が回復しなかった場合、バッテリ２０１からの電力供給が継続してバッテリ２０１のバッテリ残量が５％未満に低下したとき、装置管理部１１は、給電管理テーブル２１のバッテリ残量レベル２１１が５％以上と設定されている縮退・回復部位２１２を検索して、回線制御部３、回線制御部４、経路制御部２、装置管理部を縮退する部位に決定する。装置管理部１１は回線制御部３、回線制御部４、経路制御部２、装置管理部に対して縮退処理を行ない、給電をオフにして、給電管理テーブル２１の状態２１３をオフにする。装置管理部に対して縮退処理を行なう場合、動作可能な部位がなくなるため、自装置の閉塞処理を行なうこととなる。閉塞処理をした通信制御装置１０１の再立ち上げは、通信制御装置操作端末２２から行なう。
【００２４】
図５は、通信制御装置の縮退および回復処理を説明するフロー図である。装置管理部１１は、電源制御回路２０２の電力供給情報を取得し、バッテリ容量情報から現状のバッテリ残量レベルを把握し、給電管理テーブル２１のバッテリ残量レベル２１１に設定された値に対応するのものがあるか検索・比較する（Ｓ０１１）。装置管理部１１は、バッテリ残量レベルに対応する対象部位がある場合にはステップ０１３に進み、対象部位がない場合は通常の処理に戻る（Ｓ０１２）。給電管理テーブル２１の状態２１３がオン状態か判定し、状態２１３がオフである場合には対象部位の回復処理のステップ０２１へ進み、状態２１３がオンであった場合には縮退処理のステップ０１４へ進む（Ｓ０１３）。ステップ０１４で、給電管理テーブル２１に縮退可能部位があるか判定し、縮退可能部位がある場合には対象部位の縮退処理のステップ０１５へ進み、縮退可能部位がない場合には、通信制御装置１０１自体の閉塞処理のステップ０１８へと推移する。
【００２５】
ステップ０１５において通信制御装置１０１から接続先へ通知可能な場合か判断し、接続先へ通知可能な場合は対象部位の縮退を接続先に通知し（Ｓ０１６）、その対象部位の縮退処理を行ない対象部位の電源をオフにする（Ｓ０１７）。一方ステップ０１５で接続先へ通知不可能な場合は、ステップ０１６を省いてステップ０１７に遷移する。
【００２６】
ステップ０１８の閉塞処理においては通信制御装置１０１から接続先へ通知可能な場合か判断し、接続先へ通知可能な場合は通信制御装置１０１自体の閉塞を接続先に通知し（Ｓ０１９）、その後通信制御装置１０１自体の閉塞処理を行なう（Ｓ０２０）。ステップ０１８で、接続先へ通知不可能な場合はステップ０１９を省いてステップ０２０に遷移する。
【００２７】
ステップ０１３で回復処理と判断された場合は対象部位の電源をオンする（Ｓ０２１）。回復処理において接続先へ通知可能な場合か判断して（Ｓ０２２）、接続先へ通知可能な場合は対象部位の回復を接続先に通知して（Ｓ０２３）、終了する。ステップ０２２で接続先へ通知不可能の判断した場合はステップ０２３を省いて通常処理に戻る。
【００２８】
図６は、通信制御装置の通常の立ち上げ処理および停止処理のシーケンス図である。オペレータが通信制御装置１０１の電源スイッチ２０４をオンにしたとき（Ｓ０６１）、電源制御回路２０２は電源オンを検出し（Ｓ０６２）、バッテリ２０１への充電を開始する（Ｓ０６３）。装置管理部１１は電源制御回路２０２を介して給電され起動される（Ｓ０６４）。装置管理部１１は電源制御回路２０２からの電源状態情報監視処理を開始する（Ｓ０６５）。電源制御回路２０２はバッテリ２０１のバッテリ容量の通知を開始する（Ｓ０６６）。装置管理部１１はバッテリ２０１のバッテリ容量と給電管理テーブル２１に設定されているバッテリ残量レベルからバッテリ２０１が使用可能となったことを検出し（Ｓ０６７）、電源断の状態にしてはならない状態を保持するために、電源制御回路２０２の電源制御情報に装置断不可を設定する（Ｓ０６８、Ｓ０６９）。その後、装置管理部１１は、経路制御部１２、回線制御部１３等の電源オン（Ｓ０７０、Ｓ０７１）および初期設定処理を開始し（Ｓ０７２）、通常運用状態となる。なお、電源制御回路２０２はバッテリ２０１の充電容量が許容値に達したときには、バッテリ２０１への充電を停止する。
【００２９】
通常の停止処理の場合は、通信制御装置操作端末２２からの停止指示により、装置管理部１１が処理を開始する。まず、装置管理部１１は、経路制御部１２、回線制御部１３の閉塞処理を開始し（Ｓ０７６）、閉塞処理が完了したときに（Ｓ０７７）、経路制御部１２、回線制御部１３の電源をオフにする（Ｓ０７８）。装置管理部１１は、自身の閉塞処理を開始し（Ｓ０７９）、電源制御回路２０２の電源制御情報に装置断可を設定する（Ｓ０８０、Ｓ０８１）。このあと、装置管理部１１は停止する（Ｓ０８２）。この後、オペレータが電源スイッチ２０４をオフにする（Ｓ０８３）。電源制御回路２０２は電源オフを検出するが、電源制御情報に従いバッテリ２０１に切り替えることなく装置を停止する（Ｓ０８４）。
【００３０】
図７は、通信制御装置の通常運用時に停電が起きた場合のシーケンス図である。通常運用状態のときには、装置管理部１１は、バッテリ残量の監視中である（Ｓ０９０）。このとき、外部電源２０３が停電により外部電源２０３からの電力供給が断したとする（Ｓ０９１）。このとき電源制御回路２０２が電源断を検出し、バッテリ２０１を充電モードから放電モードに切り替える（Ｓ０９２）。通信制御装置は、バッテリ２０１からの電力供給により安定に動作を続け、瞬断もなく電力を供給する。電源制御回路２０２は、定期的に装置管理部１１に対して電源状態情報としてバッテリ２０１のバッテリ残量の通知を行なう（Ｓ０９３）。装置管理部１１は通知された電源状態情報と給電管理テーブル２１とを比較し縮退の対象となる部位を検索する（Ｓ０９４、Ｓ０９５）。検索の結果、該当する部位があった場合には該当部位の縮退処理を行ない（Ｓ０９６）、給電管理テーブル２１を更新する（Ｓ０９７）。ここで、縮退処理とは通信制御装置の部分的な停止であり、具体的には、装置管理部１１からの指示により、回線制御部１３から停止部分に接続された他の装置に経路変更依頼を送信（Ｓ１１０）したあと、電源オフが可能な状態にして、応答を装置管理部１１に戻す（Ｓ１１１）。応答を受けた装置管理部１１は、対象部分の電源をオフとする（Ｓ１１２）。
【００３１】
バッテリ残量が５％未満となったとき、装置管理部１１は、経路制御部１２と回線制御部１３の閉塞処理を開始する（Ｓ０９８）。ここで、閉塞処理とは経路制御部１２と回路制御部１３の全面的な停止であり、具体的には、装置管理部１１からの指示により、回線制御部１３から停止部分に接続された他の装置に経路変更依頼を送信（Ｓ１２０）したあと、電源オフが可能な状態にして、応答を装置管理部１１に戻す（Ｓ１２１）。応答を受けた装置管理部１１は、対象部分の電源をオフとする（Ｓ１２２）。装置管理部１１は、経路制御部１２と回線制御部１３の閉塞処理が完了したときに電源制御回路２０２の電源制御情報に装置断可を設定し（Ｓ０９９、Ｓ１００）、自ら停止（閉塞）する（Ｓ１０１）。最後に、電源制御回路２０２は、装置断可なのでバッテリ２０１からの電力供給を停止する（Ｓ１０２）。
なお、図７の説明は停電で行なったが、停電以外に誤って電源スイッチをオフした場合も同様である。
【００３２】
以上説明した実施例によれば、経路の多重化を行なっている通信制御装置を部分的に縮退・回復などさせることにより部分的に電力供給を停止することで消費電力を抑制し、可能な限り通信状態を保持することができる。また、ネットワークの接続関係の変更を最小限にすることができる。さらに、装置のスイッチを切断してはならない状態での通信制御装置の電源断を防ぐことが可能である。電源を誤って切断した場合でも、閉塞処理を行なった後に安全に電源断することができる。電源断により電圧が急激に変化することに起因して発生する自装置の破壊や誤動作の危険を著しく低減させることもでき、故障に対する信頼性も向上する。さらに、電源断によって電圧が急激に変化することに起因して起こる素子破壊、データ破壊による誤動作の危険を回避することができる。
【実施例２】
【００３３】
図８は、通信制御装置の構成を示すブロック図である。図８の通信制御装置１０１ａでは、外部電源２０３が停電時あるいは電源スイッチ２０４切断時には、バッテリ２０１は放電モードとなり、バッテリ２０１から電源制御回路２０２を介して装置管理部１１、経路制御部１２、回線制御部１３、回線制御部１３の回線制御ＬＳＩ ３１へと給電される。回線制御部１３電源制御ＬＳＩ ３０は回線制御ＬＳＩ ３１に対して個別に電源制御を行なう。回線４１−１〜４１−ｐは回線制御ＬＳＩ ３１−１〜３１−ｐによって制御されるため、回線個別に電源オフ／オンすることができる。
【００３４】
装置管理部１１は経路制御部１２、回線制御部１３が動作可能となるよう初期設定などを行ない、回線４１−１〜４１−ｐを介して接続されたネットワークに対しデータ通信を行なう。装置管理部１１は、電源制御回路２０２からの電源状態の監視を行ない、検出した電源状態情報と給電管理テーブル２１とを用いて部位毎の電源断可否状態を判定し、給電管理テーブル２１に設定されたバッテリ残量レベルに従い回線制御部１３の電源制御ＬＳＩ ３０、経路制御部１２および装置管理部１１の電源断可否を決定する。
【００３５】
図９は、通信制御装置の構成を示すブロック図である。図９の通信制御装置１０１ｂは、外部電源２０３に接続される電源制御回路２０２があり、電源制御回路２０２の出力を装置管理部１１、経路制御部１２、経路制御部１２に設けたの電源制御ＬＳＩ ３０を介して回線制御部１３に給電している。装置管理部１１は経路制御部１２、回線制御部１３が動作可能となるよう初期設定などを行ない、回線４１−１〜４１−ｐを介して接続されたネットワークに対しデータ通信を行なう。装置管理部１１は、電源制御回路２０２からの電源状態の監視を行ない、検出した電源状態情報と給電管理テーブル２１とを用いて部位毎の電源断可否状態を判定し、給電管理テーブル２１に設定されたバッテリ残量レベルに従い経路制御部１２、回線制御部１３の回線制御ＬＳＩ ３１および装置管理部１１の電源断可否を決定する。また、装置管理部１１は装置全体または部分的に電源断して閉塞する場合、該当する部分の接続先の通信制御装置に対し、経路閉塞を通知し経路の変更などを促す。
【００３６】
図８および図９に示した通信制御装置１０１の縮退・回復処理フローは、電源制御ＬＳＩの搭載位置に関わらず図５の通信制御装置の縮退・回復処理を示すフローチャートと同じである。
【００３７】
図１０は、ネットワークの構成を説明するブロック図である。図１０のネットワーク２０００は、通信制御装置１０１と通信制御装置１０２とをリンクアグリゲーション５１−１〜５１−ｑでリンクアグリゲーショングループを構成して接続する構成である。通信制御装置１０１が停電などで縮退する場合、通信制御装置１０２に対して経路閉塞を通知し経路の変更などを促す。リンクアグリゲーション５１−１〜５１−ｑで集約している回線の内の何本かがオフとなった場合には、リンクアグリゲーショングループから離脱し、残りの回線でリンクアグリゲーショングループとしてデータ通信を継続する。また、複数の回線制御部１３−１〜１３−ｎをまたがってリンクアグリゲーショングループに属する回線を設定することにより、一つ以上の回線制御部がオフになってもリンクアグリゲーショングループ内の全回線がオフになることを回避できる。
【００３８】
図１１は、リンクアグリゲーション回線単位の給電管理テーブルを説明する図である。給電管理テーブル２１は、バッテリ２０１のバッテリ残量に対応したバッテリ残量レベル２１１と、バッテリ残量レベルに対応して縮退・回復を行なう部位を指定した縮退・回復部位２１２および部位ごとの現在の電力供給状態を表す状態２１３とで構成される。
【００３９】
通信制御装置１０１が停電などでバッテリ２０１から給電している状態で、バッテリのバッテリ残量が９０％未満に低下したとき、装置管理部１１は、給電管理テーブル２１のバッテリ残量レベル２１１が９０％と設定されている縮退・回復部位２１２を検索して、リンクアグリゲーションＬＡ２〜ＬＡｑを縮退する部位に決定する。装置管理部１１はリンクアグリゲーションＬＡ２を縮退して対象となる回線への給電をオフにして、給電管理テーブル２１の状態２１３をオフにする。さらに、バッテリのバッテリ残量が５％未満に低下したとき、装置管理部１１は、給電管理テーブル２１のバッテリ残量レベル２１１が５％と設定されている縮退・回復部位２１２を検索して、リンクアグリゲーションＬＡ１を縮退する部位に決定する。装置管理部１１はリンクアグリゲーションＬＡ１１を縮退して対象となる回線への給電をオフにして、給電管理テーブル２１の状態２１３をオフにする。
【００４０】
図１２は、リンクアグリゲーション設定時の縮退および回復処理を示すフローチャート図である。装置管理部１１は、電源制御回路２０２の電力供給情報からバッテリ容量情報取得し、給電管理テーブル２１からバッテリ残量レベルを取得し、現状のレベル値に設定された値以下のものがあるか検索・比較する（Ｓ０３１）。装置管理部１１は、給電管理テーブル２１を参照してバッテリ残量レベルに達している対象部位がある場合には次のステップ０３３に進み、対象部位がない場合は通常の処理に戻る（Ｓ０３２）。給電管理テーブル２１の状態２１３がオン状態か判定し、状態２１３がオフである場合にはステップ０３８の回復処理へ進み、状態２１３がオンである場合にはステップ３０４の縮退処理へ進む（Ｓ０３３）。ステップ３０４では給電管理テーブル２１に縮退可能部位の対象回線にリンクアグリゲーションの設定があるか判定し、リンクアグリゲーションの設定がある場合には、接続先へリンクアグリゲーション変更を通知（Ｓ０３５）し、リンクアグリゲーション変更処理（Ｓ０３６）を行なう。縮退処理の最後に対象回線の回線制御ＬＳＩ ３１の電源をオフする（Ｓ０３７）。なお、ステップ０３４でリンクアグリゲーションの設定が無いとき、ステップ０３５、０３６を省いて、ステップ０３７に遷移する。
【００４１】
ステップ０３３で、回復処理と判断されたときは対象回線の回線制御ＬＳＩ ３１の電源をオンする（Ｓ０３８）。このとき回復の対象となる回線にリンクアグリゲーションの設定が必要か判定し（Ｓ０３９）、リンクアグリゲーションの設定が必要な場合には、リンクアグリゲーション変更処理（Ｓ０４０）を行ない、接続先へリンクアグリゲーション変更を通知（Ｓ０４１）する。ステップ０３９でリンクアグリゲーションの設定が不要な場合は、そのまま終了する。
【００４２】
実施例２に拠れば回線制御部に複数の回線を接続できるので、それらの回線でリンクアグリゲーションを形成できる。このリンクアグリゲーション本数を、バッテリの残量に応じて増減することにより、停電下でも最低限の通信を確保することができる。
【実施例３】
【００４３】
図１３は、二重化構成の通信制御装置のブロック図である。図１３の通信制御装置１０１ｃは、図１の通信制御装置１０１の構成を二重化構成にした構成である。通信制御装置１０１ｃは、装置管理部１１、給電管理テーブル２１、通信制御装置操作端末２２を二重化する。二重化構成は、現用系の部位と予備系の部位に分けられ、現用系の部位に障害が発生した場合、予備系に切り替わることによりデータ通信を継続させる。通信制御装置１０１ｃに接続された通信制御装置操作端末２２−１から、給電管理テーブル２１−１を定義し、通信制御装置操作端末２２−２から、給電管理テーブル２１−２を定義する。二重化された給電管理テーブル２１−１および２１−２は、装置管理部１１−１と装置管理部１１−２との間での通信により給電管理テーブル２１−１および給電管理テーブル２１−２の設定を一致させることも、通信制御装置操作端末２２−２から異なる設定をすることも可能である。
【００４４】
図１４は、他の二重化構成の通信制御装置のブロック図である。図１４の通信制御装置１０１ｄは、図１３の通信制御装置１０１ｃの給電管理テーブルを共用した構成である。通信制御装置１０１ｄは、装置管理部１１、通信制御装置操作端末２２を二重化している。通信制御装置１０１ｄに接続された通信制御装置操作端末２２−１から、給電管理テーブル２１を定義する。給電管理テーブル２１は装置管理部１１−１と装置管理部１１−２とで共通に使用する。二重化構成にした通信制御装置１０１で停電などが発生した場合、二重化構成のまま縮退する場合と特定の回線を優先して予備系の部位から縮退させていく場合が考えられる。
【００４５】
図１３の通信制御装置１０１ｃで給電管理テーブル２１−１および給電管理テーブル２１−２の設定を一致させている場合および図１４の通信制御装置１０１ｄのとき、通信制御装置１０１に停電などが発生した場合を説明する。このとき、二重化構成のまま縮退する場合の給電管理テーブル２１の設定を図１５に、特定の回線を優先して予備系の部位から縮退させていく場合の給電管理テーブル２１の設定を図１６に示す。ここで、図１５および図１６は給電管理テーブルを説明する図である。
【００４６】
図１５において、縮退・回復部位２１２の装置管理部１、装置管理部２の行のバッテリ残量レベル２１１は共に１０％以上、状態２１３も共にオンであり、装置管理部を二重化したまま縮退する。この場合は、縮退運用中に障害が発生しても現用系から予備系に切り替わって通信を継続することが可能である。
【００４７】
図１６において、縮退・回復部位２１２の装置管理部１、装置管理部２の行のバッテリ残量レベル２１１はそれぞれ１０％以上と８０％以上、状態２１３はそれぞれオンとオフであり、装置管理部２は８０％未満で縮退する。現用系を優先して予備系の部位から縮退する場合は、縮退して電力供給を停止する部位が多くなるので消費電力を抑制することができる。この結果、バッテリ２０１の駆動時間を延ばすことができ、可能な限り通信を継続することができる。
【００４８】
図１５と図１６のどちらの給電管理テーブル２１を使用した場合も、通信制御装置１０１の運用中に停電などで縮退・回復する場合と、通信制御装置１０１に障害が発生して現用系から予備系に切り替わった後に停電などで縮退・回復する場合とで、現用系、予備系で給電管理テーブル２１に設定された内容は同一なので縮退・回復する優先度は変わらない。
【００４９】
一方、図１３の通信制御装置１０１ｃで給電管理テーブル２１−１および給電管理テーブル２１−２の設定を一致させない場合の設定を図１７に示す。ここで、図１７は現用系と予備系の給電管理テーブルを説明する図である。
【００５０】
図１７において、（ａ）は現用系の給電管理テーブル２１−１、（ｂ）は予備系の給電管理テーブル２１−２である。図１７（ａ）（ｂ）の縮退・回復部位２１２の装置管理部１、装置管理部２の行のバッテリ残量レベル２１１は、それぞれ自系が１０％、他系が４０％に設定されている。また、各経路設定部および各回線制御部のバッテリ残量レベル２１１は、図１７（ａ）（ｂ）とも同じ値としている。この設定では、通信制御装置１０１ｃに停電などが発生した場合、二重化構成を有効としたまま縮退して通信を継続する。縮退運用中に障害が発生して現用系から予備系に切り替わった場合は、障害の発生した現用系の装置管理部を縮退して特定回線の通信を継続する。この場合、経路設定部および回線制御部のバッテリ残量レベル２１１は、同じなので運用系の切換に伴うバタツキは発生しない。
【図面の簡単な説明】
【００５１】
【図１】通信制御装置の構成を示すブロック図である。
【図２】電源状態監視処理を説明するフロー図である。
【図３】ネットワーク構成を説明するブロック図である。
【図４】給電管理テーブルを説明する図である。
【図５】通信制御装置の縮退および回復処理を説明するフロー図である。
【図６】通信制御装置の通常の立ち上げ処理および停止処理のシーケンス図である。
【図７】通信制御装置の通常運用時に停電が起きた場合のシーケンス図である。
【図８】通信制御装置の構成を示すブロック図である。
【図９】通信制御装置の構成を示すブロック図である。
【図１０】ネットワークの構成を説明するブロック図である。
【図１１】リンクアグリゲーション回線単位の給電管理テーブルを説明する図である。
【図１２】リンクアグリゲーション設定時の縮退および回復処理を示すフローチャート図である。
【図１３】二重化構成の通信制御装置のブロック図である。
【図１４】他の二重化構成の通信制御装置のブロック図である。
【図１５】二重化構成を優先する場合の給電管理テーブルを説明する図である。
【図１６】特定運用系を優先する場合の給電管理テーブルを説明する図である。
【図１７】現用系と予備系の給電管理テーブルを説明する図である。
【符号の説明】
【００５２】
１１…装置管理部、１２…経路制御部、１３…回線制御部、２１…給電管理テーブル、２２…通信制御装置操作端末、３０…電源制御ＬＳＩ、３１…回線制御ＬＳＩ、４１…回線、５１…リンクアグリゲーション、１０１〜１０５…通信制御装置、１４１…制御線、１５１…給電線、２０１…バッテリ、２０２…電源制御回路、２０３…外部電源、２０４…電源スイッチ、５０１〜５０２…通信経路、１０００…ネットワーク、２０００…ネットワーク。
【図１】
0004627479.tif 000002
【図２】
0004627479.tif 000003
【図３】
0004627479.tif 000004
【図４】
0004627479.tif 000005
【図５】
0004627479.tif 000006
【図６】
0004627479.tif 000007
【図７】
0004627479.tif 000008
【図８】
0004627479.tif 000009
【図９】
0004627479.tif 000010
【図１０】
0004627479.tif 000011
【図１１】
0004627479.tif 000012
【図１２】
0004627479.tif 000013
【図１３】
0004627479.tif 000014
【図１４】
0004627479.tif 000015
【図１５】
0004627479.tif 000016
【図１６】
0004627479.tif 000017
【図１７】
0004627479.tif 000018